(57)【要約】【課題】第一画像が形成部から媒体へ転写される際の転写率の低下を抑制する。【解決手段】画像形成装置は、金属又は金属酸化物で形成された扁平顔料を含む第一トナーで第一画像を形成し、金属又は金属酸化物で形成された扁平顔料を含まず且つ前記第一トナーの最大長よりも最大長が小さい第二トナーで第二画像を形成し、前記扁平顔料を含まず且つ前記第二トナーの最大長よりも最大長が小さい第三トナーで第三画像を形成する形成部と、前記第三画像、前記第二画像、前記第一画像の順で媒体に転写する転写部と、を備える。【選択図】図１
2020073955.tif 000002
【特許請求の範囲】
【請求項１】
金属又は金属酸化物で形成された扁平顔料を含む第一トナーで第一画像を形成し、金属又は金属酸化物で形成された扁平顔料を含まず且つ前記第一トナーの最大長よりも最大長が小さい第二トナーで第二画像を形成し、前記扁平顔料を含まず且つ前記第二トナーの最大長よりも最大長が小さい第三トナーで第三画像を形成する形成部と、
前記第三画像、前記第二画像、前記第一画像の順で媒体に転写する転写部と、
を備える画像形成装置。
【請求項２】
前記形成部は、金属又は金属酸化物で形成された球形顔料を含む前記第二トナーで前記第二画像を形成する
請求項１に記載の画像形成装置。
【請求項３】
金属又は金属酸化物で形成された扁平顔料を含む第一トナーで第一画像を形成し、金属又は金属酸化物で形成された扁平顔料を含まず且つ前記第一トナーの扁平顔料の体積平均粒径よりも体積平均粒径が小さい第一の顔料を含む第二トナーで第二画像を形成し、前記扁平顔料及び前記第一の顔料を含まず且つ前記第二トナーの第一の顔料の体積平均粒径よりも体積平均粒径が小さい第二の顔料を含む第三トナーで第三画像を形成する形成部と、
前記第三画像、前記第二画像、前記第一画像の順で媒体に転写する転写部と、
を備える画像形成装置。
【請求項４】
前記形成部は、金属又は金属酸化物で形成された前記第一の顔料としての球形顔料を含む前記第二トナーで前記第二画像を形成する
請求項３に記載の画像形成装置。
【発明の詳細な説明】
【技術分野】
【０００１】
本発明は、画像形成装置に関する。
【背景技術】
【０００２】
特許文献１には、金色トナーで形成されたトナー像を中間転写体へ転写した後に、金色トナー以外の色のトナーの少なくとも一色から形成されたトナー像を金色トナー像上に重ねて転写し、重ねられたトナー画像を用紙へ転写する画像形成装置が開示されている。
【先行技術文献】
【特許文献】
【０００３】
【特許文献１】特開２００６−３１７６３３号公報
【発明の概要】
【発明が解決しようとする課題】
【０００４】
画像形成装置としては、金属又は金属酸化物で形成された扁平顔料を含む第一トナーで第一画像を形成し、金属又は金属酸化物で形成された扁平顔料を含まず且つ第一トナーの最大長よりも最大長が小さい第二トナーで第二画像を形成する装置がある。
【０００５】
この装置では、扁平顔料が導電性を有するため、第一画像が、感光体等を含む形成部から中間転写体等の媒体に転写された際に、扁平顔料に電荷注入が生じる場合がある。顔料に電荷注入が生じると、扁平トナーが逆極性化し、形成部に再転写される場合がある。この場合では、第一画像が形成部から媒体へ転写される際の転写率が低下する。
【０００６】
特に、第一画像及び第二画像をこの順で媒体に転写する画像形成装置では、第一画像の転写の際と第二画像の転写の際に、扁平顔料に電荷注入が生じる場合があるため、第一画像が形成部から媒体へ転写される際の転写率がさらに低下しうる。
【０００７】
本発明は、第一画像及び第二画像をこの順で媒体に転写する場合に比べ、第一画像が形成部から媒体へ転写される際の転写率の低下を抑制することを目的とする。
【課題を解決するための手段】
【０００８】
請求項１の発明は、金属又は金属酸化物で形成された扁平顔料を含む第一トナーで第一画像を形成し、金属又は金属酸化物で形成された扁平顔料を含まず且つ前記第一トナーの最大長よりも最大長が小さい第二トナーで第二画像を形成し、前記扁平顔料を含まず且つ前記第二トナーの最大長よりも最大長が小さい第三トナーで第三画像を形成する形成部と、前記第三画像、前記第二画像、前記第一画像の順で媒体に転写する転写部と、を備える画像形成装置である。
【０００９】
請求項２の発明は、前記形成部が、金属又は金属酸化物で形成された球形顔料を含む前記第二トナーで前記第二画像を形成する請求項１に記載の画像形成装置である。
【００１０】
請求項３の発明は、金属又は金属酸化物で形成された扁平顔料を含む第一トナーで第一画像を形成し、金属又は金属酸化物で形成された扁平顔料を含まず且つ前記第一トナーの扁平顔料の体積平均粒径よりも体積平均粒径が小さい第一の顔料を含む第二トナーで第二画像を形成し、前記扁平顔料及び前記第一の顔料を含まず且つ前記第二トナーの第一の顔料の体積平均粒径よりも体積平均粒径が小さい第二の顔料を含む第三トナーで第三画像を形成する形成部と、前記第三画像、前記第二画像、前記第一画像の順で媒体に転写する転写部と、を備える画像形成装置である。
【００１１】
請求項４の発明は、前記形成部が、金属又は金属酸化物で形成された前記第一の顔料としての球形顔料を含む前記第二トナーで前記第二画像を形成する請求項３に記載の画像形成装置である。
【００１２】
第１態様は、金属又は金属酸化物で形成された扁平顔料を含む第一トナーで第一画像を形成し、金属又は金属酸化物で形成された扁平顔料を含まず且つ前記第一トナーの最大長よりも最大長が小さい第二トナーで第二画像を形成する形成部と、前記第二画像、前記第一画像の順で媒体に転写する転写部と、を備える画像形成装置である。
【００１３】
第２態様は、前記形成部が、金属又は金属酸化物で形成された球形顔料を含む前記第二トナーで前記第二画像を形成する第１態様に係る画像形成装置である。
【００１４】
第３態様は、前記形成部が、前記扁平顔料及び前記球形顔料を含まず且つ前記第二トナーの最大長よりも最大長が小さい第三トナーで第三画像を形成し、前記転写部は、前記第三画像、前記第二画像、前記第一画像の順で媒体に転写する第２態様に係る画像形成装置である。
【００１５】
第４態様は、金属又は金属酸化物で形成された扁平顔料を含む第一トナーで第一画像を形成し、金属又は金属酸化物で形成された扁平顔料を含まず且つ前記第一トナーの扁平顔料の体積平均粒径よりも体積平均粒径が小さい顔料を含む第二トナーで第二画像を形成する形成部と、前記第二画像、前記第一画像の順で媒体に転写する転写部と、を備える画像形成装置である。
【００１６】
第５態様は、前記形成部が、金属又は金属酸化物で形成された前記顔料としての球形顔料を含む前記第二トナーで前記第二画像を形成する第４態様に係る画像形成装置である。
【００１７】
第６態様は、前記形成部が、前記扁平顔料及び前記球形顔料を含まず且つ前記第二トナーの球形顔料の体積平均粒径よりも体積平均粒径が小さい顔料を含む第三トナーで第三画像を形成し、前記転写部は、前記第三画像、前記第二画像、前記第一画像の順で媒体に転写する第５態様に係る画像形成装置である。
【発明の効果】
【００１８】
本発明の請求項１及び請求項３の構成によれば、第一画像及び第二画像をこの順で媒体に転写する場合に比べ、第一画像が形成部から媒体へ転写される際の転写率の低下を抑制できる。また、本発明の請求項１及び請求項３の構成によれば、第三画像よりも先に第二画像を媒体に転写する場合に比べ、第二画像が形成部から媒体へ転写される際の転写率の低下を抑制できる。
【００１９】
本発明の請求項２及び請求項４の構成によれば、金属又は金属酸化物で形成された球形顔料による色を組み合わせて表現された画像を形成できると共に、第一画像及び第二画像をこの順で媒体に転写する場合に比べ、第一画像が形成部から媒体へ転写される際の転写率の低下を抑制できる。
【図面の簡単な説明】
【００２０】
【図１】本実施形態に係る画像形成装置を示す概略図である。
【図２】本実施形態に係る画像形成ユニットを示す概略図である。
【図３】銀色トナーに含まれる扁平顔料の平面図及び側面図である。
【図４】銀色トナーの平面図及び側面図である。
【図５】白色トナーに含まれる球形顔料の平面図及び側面図である。
【図６】白色トナーの平面図及び側面図である。
【図７】カラー色トナーに含まれる顔料の平面図及び側面図である。
【図８】カラー色トナーの平面図及び側面図である。
【図９】銀色トナー、白色トナー及びカラー色トナーを示す側面図である。
【図１０】比較例に係る画像形成装置を示す概略図である。
【図１１】銀色トナーの挙動を示す側面図である。
【図１２】一次転写位置での銀色トナーの挙動を示す概略図である。
【図１３】転写率の測定について説明するための図である。
【図１４】転写率の測定結果を示すグラフである。
【図１５】評価結果を示す表である。
【図１６】ロータリ現像装置を備える第一変形例に係る画像形成装置を示す概略図である。
【図１７】直接転写型の第二変形例に係る画像形成装置を示す概略図である。
【発明を実施するための形態】
【００２１】
以下に、本発明に係る実施形態の一例を図面に基づき説明する。なお、各図に示す矢印Ｈは鉛直方向を示し、矢印Ｗは水平方向であって装置幅方向を示す。
【００２２】
（画像形成装置１０）
まず、画像形成装置１０の構成を説明する。図１は、画像形成装置１０を正面側から見た構成を示す概略図である。
【００２３】
画像形成装置１０は、電子写真方式により用紙等の記録媒体Ｐに画像を形成する装置であり、タンデム方式の画像形成装置とされている。具体的には、画像形成装置１０は、図１に示されるように、トナー画像を形成するトナー画像形成部１２（形成部の一例）と、トナー画像形成部１２で形成されたトナー画像を記録媒体Ｐに転写する転写装置３０と、を備えている。さらに、画像形成装置１０は、記録媒体Ｐに転写されたトナー画像を加熱及び加圧して記録媒体Ｐに定着する定着装置４０と、記録媒体Ｐを搬送する搬送装置５０と、を備えている。以下、搬送装置５０、トナー画像形成部１２、転写装置３０及び定着装置４０の具体的な構成について説明する。
【００２４】
（搬送装置５０）
図１に示されるように、搬送装置５０は、記録媒体Ｐが収容される収容器５１と、収容器５１から二次転写位置ＮＴへ記録媒体Ｐを搬送する複数の搬送ロール５２と、を有している。さらに、搬送装置５０は、二次転写位置ＮＴから定着装置４０へ記録媒体Ｐを搬送する複数の搬送ベルト５８と、定着装置４０から記録媒体Ｐの排出部（図示省略）へ向けて記録媒体Ｐを搬送する搬送ベルト５４と、を有している。
【００２５】
（トナー画像形成部１２）
トナー画像形成部１２は、図１に示されるように、イエロー（Ｙ）、マゼンタ（Ｍ）、シアン（Ｃ）、ブラック（Ｋ）、白色（Ｗ）、銀色（Ｖ）の各色のトナー画像を形成する画像形成ユニット２０Ｙ、２０Ｍ、２０Ｃ、２０Ｋ、２０Ｗ、２０Ｖ（画像形成部）を有している。画像形成ユニット２０Ｙ、２０Ｍ、２０Ｃ、２０Ｋ、２０Ｗ、２０Ｖ（以下、２０Ｙ〜２０Ｖと称する）は、この順で、後述の転写ベルト３１の搬送方向の上流側から下流側に向けて配置されている。
【００２６】
図１に示す（Ｙ）、（Ｍ）、（Ｃ）、（Ｋ）、（Ｗ）、（Ｖ）は、上記各色に対応する構成部分を示している。なお、本明細書の説明では、色を区別して説明する場合に、（Ｙ）、（Ｍ）、（Ｃ）、（Ｋ）、（Ｗ）、（Ｖ）を符号に付す。また、（Ｙ）、（Ｍ）、（Ｃ）、（Ｋ）、（Ｗ）、（Ｖ）を符号に付す際には、括弧を省略して、Ｙ、Ｍ、Ｃ、Ｋ、Ｗ、Ｖと記載する場合がある。また、以下では、イエロー（Ｙ）、マゼンタ（Ｍ）、シアン（Ｃ）、及びブラック（Ｋ）をまとめて「カラー色」と称する。
【００２７】
（画像形成ユニット２０）
各色の画像形成ユニット２０は、用いるトナーを除き基本的に同様に構成されている。具体的には、各色の画像形成ユニット２０は、図２に示されるように、図２における時計周り方向に回転する感光体ドラム２１と、感光体ドラム２１を帯電させる帯電器２２と、を有している。さらに、各色の画像形成ユニット２０は、帯電器２２によって帯電された感光体ドラム２１を露光して感光体ドラム２１に静電潜像を形成する露光装置２３と、露光装置２３によって感光体ドラム２１に形成された静電潜像を現像してトナー画像を形成する現像装置２４と、を有している。
【００２８】
具体的には、露光装置３６は、画像データに応じて変調された露光光を感光体ドラム２１に照射して、感光体ドラム２１に静電潜像を形成するようになっている。この静電潜像が、現像装置２４によって現像されることで、画像データに基づくトナー画像が形成される。画像データとしては、例えば、外部装置（図示省略）で生成され該外部装置から画像形成装置１０が取得した画像データなどがある。
【００２９】
そして、画像形成ユニット２０Ｖでは、第一トナーの一例として銀色トナー１００（図４参照）を用いて、トナー画像（第一画像の一例）を形成する。なお、以下、説明の便宜上、銀色トナーで形成されたトナー画像を「銀色画像」と称する。
【００３０】
また、画像形成ユニット２０Ｗでは、第二トナーの一例としての白色トナー２００（図６参照）を用いて、トナー画像（第二画像の一例）を形成する。なお、以下、説明の便宜上、白色トナーで形成されたトナー画像を「白色画像」と称する。
【００３１】
画像形成ユニット２０Ｙ、２０Ｍ、２０Ｃ、２０Ｋ（以下、２０Ｙ〜２０Ｋと示す）では、第三トナーの一例としてのカラー色トナー３００（図８参照）を用いて、トナー画像（第三画像の一例）を形成する。なお、以下、説明の便宜上、カラー色トナー３００で形成されたトナー画像を「カラー色画像」と称する。また、銀色トナー１００、白色トナー２００、及びカラー色トナー３００の具体的な構成については、後述する。
【００３２】
（転写装置３０）
転写装置３０は、各色の感光体ドラム２１のトナー画像を、転写ベルト３１（中間転写体）に重畳して一次転写し、該重畳されたトナー画像を二次転写位置ＮＴで記録媒体Ｐに二次転写するようになっている。具体的には、転写装置３０は、図１に示されるように、トナー画像が転写され該トナー画像を記録媒体Ｐに転写する転写ベルト３１（媒体の一例）と、一次転写ロール３３（転写部の一例）と、二次転写ロール３４と、を備えている。
【００３３】
（転写ベルト３１）
転写ベルト３１は、図１に示されるように、無端状を成し、複数のロール３２に巻き掛けられて姿勢が決められている。この実施形態では、転写ベルト３１は、正面視で装置幅方向に長い逆鈍角三角形状の姿勢とされている。複数のロール３２のうち、図１に示すロール３２Ｄは、図示しないモータの動力により転写ベルト３１を矢印Ａ方向に周回させる駆動ロールとして機能する。転写ベルト３１は、矢印Ａ方向に周回することで、一次転写された各色のトナー画像を、各色の一次転写位置Ｔから二次転写位置ＮＴへ搬送するようになっている。
【００３４】
また、複数のロール３２のうち、図１に示すロール３２Ｔは、転写ベルト３１に張力を付与する張力付与ロールとして機能する。複数のロール３２のうち、図１に示すロール３２Ｂは、二次転写ロール３４の対向ロール３２Ｂとして機能する。対向ロール３２Ｂには、前述の通り逆さ鈍角三角形状の姿勢とされた転写ベルト３１の鈍角を成す下端側の頂部が巻き掛けられている。この転写ベルト３１は、前述した姿勢で装置幅方向に延びる上辺部において、各色の感光体ドラム２１に下方から接触している。
【００３５】
（一次転写ロール３３）
一次転写ロール３３は、各感光体ドラム２１のトナー画像を転写ベルト３１に転写するロールであり、転写ベルト３１の内側に配置されている。各一次転写ロール３３は、転写ベルト３１を挟んで、対応する色の感光体ドラム２１に対して対向配置されている。また、一次転写ロール３３には、給電部３７（図２参照）によって、トナー極性とは逆極性の一次転写電圧（一次転写電流）が印加されるようになっている。これにより、画像形成ユニット２０の感光体ドラム２１と一次転写ロール３３との間に転写電界が形成されて、感光体ドラム２１に形成されたトナー画像に対して静電力が作用し、当該トナー画像が一次転写位置Ｔで転写ベルト３１に転写される。
【００３６】
本実施形態では、各色の一次転写ロール３３によって、画像形成ユニット２０Ｙ〜２０Ｖで形成された各色のトナー画像が、イエロー、マゼンタ、シアン、ブラック、白色、銀色の順で、転写ベルト３１に転写される。
【００３７】
（二次転写ロール３４）
二次転写ロール３４は、転写ベルト３１に重畳されたトナー画像を記録媒体Ｐに転写するロールである。二次転写ロール３４は、図１に示されるように、対向ロール３２Ｂとの間に転写ベルト３１を挟むように配置されており、二次転写ロール３４と転写ベルト３１とは予め定められた荷重にて接触している。このように接触している二次転写ロール３４と転写ベルト３１の間が二次転写位置ＮＴとされる。この二次転写位置ＮＴには、収容器５１から適時に記録媒体Ｐが供給されるようになっている。二次転写ロール３４は、図１における時計周り方向へ回転駆動される。
【００３８】
また、二次転写ロール３４には、給電部８０によって、対向ロール３２Ｂに負極性の電圧が印加され、対向ロール３２Ｂと二次転写ロール３４との間に電位差が生じる。すなわち、対向ロール３２Ｂに負極性の電圧が印加されることで、対向ロール３２Ｂの対向電極をなす二次転写ロール３４にトナー極性と逆極性の二次転写電圧（正極性の電圧）が間接的に印加される。これにより、対向ロール３２Ｂと二次転写ロール３４との間に転写電界が形成されて、転写ベルト３１のトナー画像に対して静電力が作用し、二次転写位置ＮＴを通過する記録媒体Ｐに、転写ベルト３１からトナー画像が転写される。
【００３９】
（定着装置４０）
定着装置４０は、定着ロール４１と加圧ロール４２とで形成される定着ニップＮＦにおいてトナー画像を加熱しつつ加圧することで、トナー画像を記録媒体Ｐに定着する構成とされている。
【００４０】
（銀色トナー１００）
銀色トナー１００（扁平トナー）は、図９（Ａ）に示されるように、扁平顔料１１０と結着樹脂１２０とを含んで構成されている。扁平顔料１１０は、アルミニウム（金属の一例）で構成されている。結着樹脂１２０には、公知の樹脂材料が用いられ、結着樹脂１２０は扁平顔料１１０よりも導電性が低くなっている。
【００４１】
図３（Ｂ）に示されるように、扁平顔料１１０を平面５００上に置いた状態において、扁平顔料１１０を側方から見ると、扁平顔料１１０は、左右方向の寸法Ｘ１が上下方向の寸法Ｙ１に対して長くなる形状とされている。
【００４２】
また、図３（Ｂ）に示す扁平顔料１１０を上方から見ると、扁平顔料１１０は、図３（Ａ）に示されるように、側方から見た形状に対して広がった形状とされ、扁平顔料１１０は、扁平顔料１１０を平面５００上に置いた状態（図３（Ｂ）参照）で、上方及び下方を向く一対の反射面１１０Ａを有している。このように、扁平顔料１１０は、扁平形状とされている。
【００４３】
扁平顔料１１０が扁平形状とされることで、扁平顔料１１０を含む銀色トナー１００も、扁平顔料１１０に倣った扁平形状とされている。したがって、銀色トナー１００を平面５００上に置いた状態で、銀色トナー１００を側方から見ると、銀色トナー１００は、図４（Ｂ）に示されるように、左右方向の寸法（Ａ１）が上下方向の寸法（Ｃ１）に対して長くなる形状とされている。
【００４４】
また、図４（Ｂ）に示す銀色トナー１００を上方から見ると、銀色トナー１００は、図４（Ａ）に示されるように、側方から見た形状に対して広がった形状とされ、略円形状（略楕円形状）をしている。
【００４５】
銀色トナー１００を上方から見た場合の最大長Ａ１（最長径）と、最大長Ａ１に直交する直交長さＢ１と、銀色トナー１００を上方から見た場合の厚みＣ１（上下方向の寸法）の関係は、Ａ１≧Ｂ１＞Ｃ１となる。
【００４６】
最大長Ａ１は、カラーレーザ顕微鏡「ＶＫ−９７００」（キーエンス社製）を用いて拡大観察し、画像処理ソフトでトナー平面の最大長を算出することで得られる。
【００４７】
銀色トナー１００の最大長は、例えば、６μｍ以上１６μｍ以下とされている。
【００４８】
なお、「厚さＣ１／直交長さＢ１」の値が、０．００１以上０．５００以下の範囲であることが望ましい。「厚さＣ１／直交長さＢ１」の値が、０．００１以上であることにより、トナーの強度が確保され、画像形成の際における応力による破断が抑制され、顔料が露出することによる帯電の低下、その結果発生するカブリが抑制される。一方、「厚さＣ１／直交長さＢ１」の値が、０．５００以下であることにより、優れた金属光沢感が得られる。
【００４９】
（白色トナー２００）
白色トナー２００は、図９（Ｂ）に示されるように、球形顔料２１０と結着樹脂２２０とを含んで構成されている。球形顔料２１０は、酸化チタン（金属酸化物の一例）で構成されている。結着樹脂２２０には、公知の樹脂材料が用いられ、結着樹脂２２０は球形顔料２１０よりも導電性が低くなっている。
【００５０】
球形顔料２１０を平面５００上に置いた状態において、球形顔料２１０は、図５（Ａ）に示される上方から見た場合の左右方向の寸法Ｘ２及び前後方向の寸法Ｚ２と、図５（Ｂ）に示される側方から見た場合の左右方向の寸法Ｘ２及び上下方向の寸法Ｙ２と、が同等とされている。
【００５１】
したがって、球形顔料２１０は、図５（Ｂ）に示される側方から見た場合の左右方向の寸法Ｘ２と上下方向の寸法Ｙ２との寸法比が、扁平顔料１１０における寸法比よりも小さくされている。すなわち、球形顔料２１０は、扁平顔料１１０よりも球形に近い形状をしている。
【００５２】
球形顔料２１０を含む白色トナー２００も、球形顔料２１０と同様に球形形状とされている。したがって、白色トナー２００を平面５００上に置いた状態において、白色トナー２００は、図６（Ａ）に示される上方から見た場合の左右方向の寸法Ａ２及び前後方向の寸法Ｂ２と、図６（Ｂ）に示される側方から見た場合の左右方向の寸法Ａ２及び上下方向の寸法Ｃ２と、が同等とされている。
【００５３】
白色トナー２００の最大長は、銀色トナー１００の最大長Ａ１よりも短くされている。白色トナー２００の最大長は、白色トナー２００を球形状とみなし、白色トナー２００の体積平均粒径を最大長とする。
【００５４】
体積平均粒径は、例えば、コールターカウンターＴＡＩＩ（日科機社製）、マルチサイザーＩＩ（日科機社製）等の測定器を用いて測定される。具体的には、当該測定器で測定される粒度分布を基にして分割された粒度範囲（チャネル）に対し、体積基準で小径側から累積分布を描き、累積５０％となる粒径（Ｄ５０ｖ）を、体積平均粒径とした。なお、以下の体積平均粒径についても同様に測定される。
【００５５】
球形顔料２１０の体積平均粒径は、おおよそ２００〜３００ｎｍ程度である。これは、カラー色トナー３００における顔料３１０より大きいものの、前述の扁平顔料１１０よりはるかに小さい。
白色トナー２００の体積平均粒径は４μｍ以上１４μｍ以下とされ、より望ましくは、５μｍ以上１２μｍ以下とされ、さらに望ましくは、６μｍ以上１０μｍ以下とされる。この体積平均粒径が１４μｍを超えると、良好な帯電性（電荷量や電荷分布）や、その適切な帯電性を長期にわたって維持し得ることができなくなり、微細なドットの再現性、階調性、粒状性の改善効果が乏しくなる。一方、体積平均粒径が４μｍ未満では、トナーの流動性が悪化するばかりでなく、キャリアから十分な帯電能を付与されにくくなるため、背景部へのカブリが生じたり、濃度再現性が低下しやすくなることがある。
【００５６】
なお、白色トナー２００に対する球形顔料２１０の濃度（含有量）は、例えば、２０質量％以上５０質量％以下とされている。
【００５７】
（カラー色トナー３００）
カラー色トナー３００は、図９（Ｃ）に示されるように、扁平顔料１１０及び球形顔料２１０を含まず、扁平顔料１１０及び球形顔料２１０以外の顔料３１０と結着樹脂３２０とを含んで構成されている。顔料３１０には、例えば、非金属及び非金属酸化物である顔料（例えば、有機顔料など）が用いられる。すなわち、カラー色トナー３００は、扁平顔料１１０及び球形顔料２１０よりも導電性が低い顔料を有している。結着樹脂３２０には、公知の樹脂材料が用いられる。
【００５８】
顔料３１０を平面５００上に置いた状態において、顔料３１０は、図７（Ａ）に示される上方から見た場合の左右方向の寸法Ｘ３及び前後方向の寸法Ｚ３と、図７（Ｂ）に示される側方から見た場合の左右方向の寸法Ｘ３及び上下方向の寸法Ｙ３と、が同等とされている。
【００５９】
したがって、顔料３１０は、図７（Ｂ）に示される側方から見た場合の左右方向の寸法Ｘ３と上下方向の寸法Ｙ３との寸法比が、扁平顔料１１０における寸法比よりも小さくされている。すなわち、顔料３１０は、扁平顔料１１０よりも球形に近い形状をしている。
【００６０】
顔料３１０を含むカラー色トナー３００も、顔料３１０と同様に球形形状とされている。したがって、カラー色トナー３００を平面５００上に置いた状態において、カラー色トナー３００は、図８（Ａ）に示される上方から見た場合の左右方向の寸法Ａ３及び前後方向の寸法Ｂ３と、図８（Ｂ）に示される側方から見た場合の左右方向の寸法Ａ３及び上下方向の寸法Ｃ３と、が同等とされている。
【００６１】
顔料３１０の体積平均粒径は、おおよそ５０〜１５０ｎｍ程度であり、前述の扁平顔料１１０や球形顔料２１０よりに小さい。
カラー色トナー３００の最大長は、白色トナー２００の最大長（体積平均粒径）よりも短くされている。カラー色トナー３００の最大長は、カラー色トナー３００を球形状とみなし、カラー色トナー３００の体積平均粒径を最大長とする。なお、体積平均粒径の測定方法は、前述のとおりである。
【００６２】
カラー色トナー３００の体積平均粒径は、３μｍ以上９μｍ以下が望ましく、３μｍ以上８μｍ以下がより望ましい。当該粒径が３μｍ未満だと帯電性が不十分になり、現像性が低下する場合があり、９μｍを超えると画像の解像性が低下する場合がある。
なお、カラートナー３００に対する顔料３１０の濃度（含有量）は、例えば、５質量％以上２０質量％以下とされている。
【００６３】
なお、カラー色トナー３００は、２価以上の金属元素からなる化合物が添加されていてもよい。当該化合物は、例えば、カラー色トナー３００を乳化重合凝集法により作製する場合の凝集剤として添加される。カラー色トナー３００における当該化合物の含有量は、例えば、０．０５質量％以上２質量％以下とされる。
【００６４】
このように、カラー色トナー３００は、金属又は金属酸化物を含んでいてもよいが、その含有量（質量％）は、銀色トナー１００及び白色トナー２００よりも少なく、銀色トナー１００及び白色トナー２００よりもトナーとしての導電性が低い。
【００６５】
なお、カラー色トナー３００は、乳化重合凝集法等の重合法で得られる重合トナー（ケミカルトナー）であってもよいし、粉砕法で得られる粉砕トナーであってもよい。なお、銀色トナー１００及び白色トナー２００も、同様に、重合トナー（ケミカルトナー）であってもよいし、粉砕法で得られる粉砕トナーであってもよい。
【００６６】
（本実施形態に係る作用）
次に、本実施形態に係る作用を説明する。
【００６７】
本実施形態に係る画像形成装置において、銀色、白色及びカラー色による画像を記録媒体Ｐに形成する場合には、各色の画像形成ユニット２０、転写装置３０及び定着装置４０が作動される。これにより、各色の画像形成ユニット２０において、トナー画像が形成される。具体的には、各色の画像形成ユニット２０において、以下の画像形成工程（プロセス）にてトナー画像が形成される。
【００６８】
すなわち、各色の感光体ドラム２１は、回転されながら帯電器２２によって帯電される。また、各露光装置２３は、画像データに応じて各露光光Ｌを出射して、帯電した各感光体ドラム２１に露光する。すると、各感光体ドラム２１の表面に静電潜像が形成される。各感光体ドラム２１に形成された静電潜像は、現像装置２４から供給される現像剤によって現像される。これにより、各色の感光体ドラム２１には、イエロー（Ｙ）、マゼンタ（Ｍ）、シアン（Ｃ）、ブラック（Ｋ）、白色（Ｗ）及び銀色（Ｖ）、のトナー画像が形成される。
【００６９】
各色の感光体ドラム２１に形成された各色のトナー画像は、各色の感光体ドラム２１と各色の一次転写ロール３３との間に形成された転写電界において、周回する転写ベルト３１に順次転写される。これにより、転写ベルト３１には、各色のトナー画像が重畳されたトナー画像が形成される。この重畳されたトナー画像は、転写ベルト３１の周回によって二次転写位置ＮＴに搬送される。
【００７０】
この二次転写位置ＮＴにおいて、収容器５１から搬送された記録媒体Ｐに、転写ベルト３１に重畳されたトナー画像が転写される。記録媒体Ｐに転写されたトナー画像は、定着装置４０で記録媒体Ｐに定着される。
【００７１】
このように、本実施形態では、各色のトナー画像が記録媒体Ｐに転写されるので、銀色トナー１００、白色トナー２００及びカラー色トナー３００による色を組み合わせて表現された画像が形成される。
【００７２】
ここで、各色の感光体ドラム２１と各色の一次転写ロール３３との間に形成された転写電界において、トナーへの正極性の電荷の注入が生じる場合がある。正極性の電荷の注入を受けてトナーが正極性に帯電した場合では、静電的な吸引力を受けて感光体ドラム２１に再転写される場合がある。トナーが感光体ドラム２１に再転写されると、トナー画像が感光体ドラム２１から転写ベルト３１へ転写される際の転写率が低下する。
【００７３】
なお、ここでの再転写には、感光体ドラム２１から転写ベルト３１に転写されたトナーが、当該感光体ドラム２１に再び転写される場合と、下流側の感光体ドラム２１に転写される場合とが含まれる。
【００７４】
そして、銀色トナー１００の扁平顔料１１０は、金属であるため導電性を有すると共に、扁平形状とされている。このように、扁平顔料１１０が扁平形状とされるため、分極化することで、図９（Ａ）に示されるように、銀色トナー１００は、扁平顔料１１０の長手方向（銀色トナー１００の長手方向）が、転写ベルト３１に対する直交方向に沿って立ち上がった状態（以下、穂立状態という）となりやすい。
【００７５】
銀色トナー１００の長手方向に扁平顔料１１０の長手方向が沿った状態で扁平顔料１１０が銀色トナー１００内に存在するため、銀色トナー１００が穂立状態になると、感光体ドラム２１と転写ベルト３１との間で、扁平顔料１１０伝いに導電経路（矢印Ｅ参照）が確保される。これにより、銀色トナー１００は、球形状である顔料を含む場合に比べ、正極性の電荷の注入が生じやすい。
【００７６】
一方、白色トナー２００の球形顔料２１０は、金属酸化物であるため導電性を有しているが、扁平形状ではなく、球形状とされている（図９（Ｂ）参照）。このため、球形顔料２１０は、銀色トナー１００における扁平顔料１１０とは異なり、白色トナー２００内に均一的に分散され、特定の方向に配置されにくい。このため、球形顔料２１０間には、球形顔料２１０よりも導電性が低い結着樹脂２２０が存在し、銀色トナー１００に比べ、感光体ドラム２１と転写ベルト３１との間に導電経路（矢印Ｅ参照）が確保されにくい。これにより、白色トナー２００は、銀色トナー１００に比べ、正極性の電荷の注入が生じにくい。
【００７７】
さらに、カラー色トナー３００の顔料３１０は、扁平顔料１１０及び球形顔料２１０よりも導電性が低い。このため、銀色トナー１００及び白色トナー２００に比べ、感光体ドラム２１と転写ベルト３１との間に、導電経路（矢印Ｅ参照）が確保されにくい（図９（Ｃ）参照）。これにより、カラー色トナー３００は、白色トナー２００に比べ、正極性の電荷の注入が生じにくい。
【００７８】
また、例えば、画像形成ユニット２０Ｖ、２０Ｗ、２０Ｙ〜２０Ｋの順で上流側から配置された図１０に示す比較例では、画像形成ユニット２０Ｖから転写ベルト３１へ転写された銀色画像の銀色トナー１００が、画像形成ユニット２０Ｗ及び画像形成ユニット２０Ｙ〜２０Ｋの一次転写位置Ｔも通過する。銀色トナー１００は、前述のように、電荷の注入が生じやすいため、各一次転写位置Ｔの転写電界において電荷注入が生じると、転写率の低下が顕著となる。
【００７９】
また、前述の比較例では、転写ベルト３１に転写された銀色画像上にカラー色画像及び白色画像が重畳されるため、図１１（Ａ）に示されるように、白色トナー２００及びカラー色トナー３００が銀色トナー１００の少なくとも一部を覆う。しかしながら、銀色トナー１００の最大長Ａが、白色トナー２００の最大長（体積平均粒径）及びカラー色トナー３００の最大長（体積平均粒径）よりも長いため、覆われた銀色トナー１００が、前述のように、転写ベルト３１上で穂立状態となると、一次転写位置ＴＷ、ＴＹ、ＴＭ、ＴＣ、ＴＫにおいて、図１１（Ｂ）に示されるように、銀色トナー１００の上部（二点鎖線部分参照）が露出しやすい。このため、図１２に示されるように、銀色トナー１００が感光体ドラム２１と接触し、感光体ドラム２１と転写ベルト３１との間で、扁平顔料１１０伝いに導電経路（矢印Ｅ参照）が確保される。これにより、銀色トナー１００は、正極性の電荷の注入が生じて、転写率が低下しやすい。
【００８０】
さらに、銀色トナー１００に含まれる扁平顔料１１０の体積平均粒径は、白色トナー２００の球形顔料２１０の体積平均粒径及びカラー色トナー３００の顔料３１０の体積平均粒径よりも大きい。このため、白色トナー２００及びカラー色トナー３００に比べ、扁平顔料１１０が銀色トナー１００内で連なりやすく、感光体ドラム２１と転写ベルト３１との間で、扁平顔料１１０伝いに導電経路（矢印Ｅ参照）が確保されやすい。この点からも、銀色トナー１００は、正極性の電荷の注入が生じて、転写率が低下しやすい。
【００８１】
また、図１０に示す比較例では、転写ベルト３１に転写された白色画像上にカラー色画像が重畳されるため、カラー色トナー３００が白色トナー２００の少なくとも一部を覆う。しかしながら、白色トナー２００の最大長（体積平均粒径）がカラー色トナー３００の最大長（体積平均粒径）よりも長いため、銀色トナー１００の場合と同様に、覆われた白色トナー２００の上部が露出する。このため、一次転写位置ＴＹ、ＴＭ、ＴＣ、ＴＫにおいて、白色トナー２００が感光体ドラム２１と接触し、感光体ドラム２１と転写ベルト３１との間で、球形顔料２１０伝いに導電経路が確保される。これにより、白色トナー２００は、カラー色トナー３００に比べ、正極性の電荷の注入が生じて、転写率が低下しやすい。
【００８２】
さらに、白色トナー２００の球形顔料２１０の体積平均粒径は、カラー色トナー３００の顔料３１０の体積平均粒径よりも大きい。このため、カラー色トナー３００に比べ、球形顔料２１０が白色トナー２００内で連なりやすく、感光体ドラム２１と転写ベルト３１との間で、球形顔料２１０伝いに導電経路（矢印Ｅ参照）が確保されやすい。この点からも、白色トナー２００は、カラー色トナー３００に比べ、正極性の電荷の注入が生じて、転写率が低下しやすい。
【００８３】
これに対して、本実施形態では、銀色トナー１００、白色トナー２００及びカラー色トナー３００のうちで、最も正極性の電荷注入が生じやすい銀色トナー１００を用いる画像形成ユニット２０Ｖが、画像形成ユニット２０のうちで最下流側に配置されている。
【００８４】
このため、銀色トナー１００は、画像形成ユニット２０Ｗ及び画像形成ユニット２０Ｙ〜２０Ｋの一次転写位置Ｔを通過しないので、図１０に示す比較例に比べ、銀色トナー１００へ正極性の電荷の注入が生じにくい。したがって、図１０に示す比較例に比べ、銀色トナー１００で形成された銀色画像が画像形成ユニット２０Ｖから転写ベルト３１へ転写される際の転写率の低下が抑制される。
【００８５】
また、本実施形態では、銀色トナー１００、白色トナー２００及びカラー色トナー３００のうちで、２番目に正極性の電荷注入が生じやすい白色トナー２００を用いる画像形成ユニット２０Ｗは、画像形成ユニット２０Ｖの上流側ではあるが、画像形成ユニット２０Ｙ〜２０Ｋの下流側に配置されている。
【００８６】
このため、白色トナー２００は、画像形成ユニット２０Ｖの一次転写位置Ｔを通過するものの、画像形成ユニット２０Ｙ〜２０Ｋの一次転写位置Ｔを通過しない。このため、図１０に示す比較例に比べ、白色トナー２００へ正極性の電荷の注入が生じにくい。したがって、図１０に示す比較例に比べ、白色トナー２００で形成された白色画像が画像形成ユニット２０Ｗから転写ベルト３１へ転写される際の転写率の低下が抑制される。
【００８７】
（転写率の測定）
ここで、６つの画像形成ユニット２０において、画像形成ユニット２０Ｖ、２０Ｗ、２０Ｃのそれぞれを、最上流側（図１３の符号２０（１）の位置）と、最下流側（図１３の符号２０（６）の位置）とに配置した場合の画像の転写率について測定した。この測定では、画像形成装置１０として、Ｃｏｌｏｒ１０００Ｐｒｅｓｓ改造６色機（富士ゼロックス株式会社製）を用いた。また、当該測定は、温度１０℃、湿度１５％の環境下で行った。
【００８８】
最上流側に配置した画像形成ユニット２０（１）における転写率の測定では、予め定められた大きさのベタ画像（パッチ）を感光体ドラム２１（１）に形成し、当該ベタ画像を転写ベルト３１に転写する。そして、測定対象とならない画像形成ユニット２０（２）、２０（３）２０（４）２０（５）２０（６）では、一次転写ロール３３による転写動作のみを行った。当該転写率は、感光体ドラム２１（１）での当該ベタ画像のトナー量（図１３における９０Ａでのトナー量）を１００としたときにおける、６つの一次転写位置Ｔを通過した後における転写ベルト３１上の当該ベタ画像のトナー量（図１３における９０Ｂでのトナー量）から求める。トナー量は、例えば、感光体ドラム２１（１）及び転写ベルト３１のベタ画像のトナーを吸引器で吸引し、吸引したトナーの重量を電子天秤で測定することで求める。なお、転写ベルト３１上のベタ画像のトナー量は、図１３における９０Ａでのトナー量から、各一次転写位置Ｔを通過した後に各感光体ドラム２１（１）、２１（２）、２１（３）、２１（４）、２１（５）、２１（６）に付着したトナー量の合計（図１３における９０Ｃ、９０Ｅでのトナー量の合計）を減算した値としてもよい。
【００８９】
最下流側に配置した画像形成ユニット２０（６）における転写率の測定では、予め定められた大きさのベタ画像（パッチ）を感光体ドラム２１（６）に形成し、当該ベタ画像を転写ベルト３１に転写する。当該転写率は、感光体ドラム２１（６）での当該ベタ画像のトナー量（図１３における９０Ｄでのトナー量）を１００としたときにおける、転写ベルト３１上の当該ベタ画像のトナー量（図１３における９０Ｂでのトナー量）から求める。トナー量は、例えば、感光体ドラム２１（６）及び転写ベルト３１のベタ画像のトナーを吸引器で吸引し、吸引したトナーの重量を電子天秤で測定することで求める。なお、転写ベルト３１上のベタ画像のトナー量は、図１３における９０Ｄでのトナー量から、一次転写位置Ｔを通過した後に感光体ドラム２１（６）に付着したトナー量（図１３における９０Ｅでのトナー量）を減算した値としてもよい。
【００９０】
前述の測定の結果を示すグラフが図１４に示されている。図１４では、最上流側（図１３の符号２０（１）の位置）に配置した場合の転写率を、斜線付きのバーにて示し、最下流側（図１３の符号２０（６）の位置）に配置した場合の転写率を白抜きのバーにて示している。図１４のグラフに示されるように、銀色画像を形成する画像形成ユニット２０Ｖを最上流側に配置した場合において、転写率の低下が最も大きい。その次に転写率の低下が大きいのが、白色画像を形成する画像形成ユニット２０Ｗを最上流側に配置した場合である。
【００９１】
したがって、画像形成ユニット２０Ｖを最下流側に配置することが、転写率の低下を抑制する効果が高い。また、画像形成ユニット２０Ｗは、画像形成ユニット２０Ｖを最下流側に配置する場合よりも、転写率の低下を抑制する効果が低いものの、画像形成ユニット２０Ｙ〜２０Ｋを最下流側に配置する場合よりも、転写率の低下を抑制する効果が高い。よって、本実施形態のように、画像形成ユニット２０Ｙ〜２０Ｋ、２０Ｗ、２０Ｖ、の順で上流側から配置することが、転写率の低下を抑制するのに、最適な配置だと考えられる。
【００９２】
［評価］
本評価では、本実施形態の画像形成装置１０と図１０に示す比較例とにおける銀色画像（銀色トナー１００）、白色画像（白色トナー２００）及びシアンのトナー画像（シアンのトナー）の転写率を評価した。
【００９３】
この評価でも、前述した転写率の測定と同様に、Ｃｏｌｏｒ１０００Ｐｒｅｓｓ改造６色機（富士ゼロックス株式会社製）を用いた。また、当該評価は、温度１０℃、湿度１５％の環境下で行った。
【００９４】
実施形態と比較例の転写率を、目視による画像の観察にて以下のように、Ａ、Ｂ、Ｃにて評価した。
Ａ：殆ど濃度低下が見られない程度に転写率が良好
Ｂ：明らかな濃度低下が見られない程度に転写性が良好
Ｃ：濃度低下が確認できる程度に転写性が悪い
【００９５】
評価の結果、本実施形態の構成では、図１５に示されるように、銀色トナー１００、白色トナー２００及びシアンのトナーの転写率において、Ａ評価となった。比較例では、銀色トナー１００、白色トナー２００及びシアンのトナーの転写率において、それぞれ、Ｃ、Ｂ、Ａの評価となった。このように、本実施形態の構成では、比較例の構成に比べ、銀色トナー１００、白色トナー２００の転写率が優れている結果が得られた。
【００９６】
（第一変形例）
本実施形態に係る画像形成装置１０は、タンデム方式の画像形成装置とされていたが、これに限られない。例えば、ロータリ型現像装置を備えた図１６に示す画像形成装置６００であってもよい。
【００９７】
画像形成装置６００は、図１６に示されるように、トナー画像を形成するトナー画像形成部６１２（形成部の一例）と、トナー画像形成部６１２で形成されたトナー画像を記録媒体Ｐに転写する転写装置６３０と、を備えている。
【００９８】
トナー画像形成部６１２は、矢印−Ｒ方向に回転する感光体ドラム６２１と、感光体ドラム６２１を帯電させる帯電器６２２と、を有している。さらに、トナー画像形成部６１２は、帯電器６２２によって帯電された感光体ドラム６２１を露光して感光体ドラム６２１に静電潜像を形成する露光装置６２３と、露光装置６２３によって感光体ドラム６２１に形成された静電潜像を現像してトナー画像を形成するロータリ現像装置６４０と、を有している。
【００９９】
転写装置６３０は、複数のロール６３２に巻き掛けられた転写ベルト６３１（媒体の一例）と、感光体ドラム６２１のトナー画像を一次転写位置Ｔで転写ベルト６３１に転写する一次転写ロール６３３（転写部の一例）と、転写ベルト６３１に重畳されたトナー画像を二次転写位置ＮＴで記録媒体Ｐに転写する二次転写ロール６３４と、有している。
【０１００】
ロータリ現像装置６４０は、回転軸６４９と、回転軸６４９の周囲に配置されたイエロー（Ｙ）、マゼンタ（Ｍ）、シアン（Ｃ）、ブラック（Ｋ）、白色（Ｗ）、銀色（Ｖ）の現像器６４Ｙ、６４Ｍ、６４Ｃ、６４Ｋ、６４Ｗ、６４Ｖと、を備えている。現像器６４Ｙ、６４Ｍ、６４Ｃ、６４Ｋ、６４Ｗ、６４Ｖには、各色のトナーが収容されると共に、該トナーを感光体ドラム６２１に付着されるための現像ロール６４８を有している。
【０１０１】
ロータリ現像装置６４０は、中心角で６０°ずつ矢印＋Ｒ方向に回転されることで、感光体６２の外周面と対向する現像位置で現像処理を行う現像器６４Ｙ、６４Ｍ、６４Ｃ、６４Ｋ、６４Ｗ、６４Ｖが切り替えられる。画像形成装置６００では、現像器６４Ｙ、６４Ｍ、６４Ｃ、６４Ｋ、６４Ｗ、６４Ｖの順で現像処理を行う。したがって、画像形成装置６００では、帯電、露光、現像、一次転写の工程が行われることで、イエロー（Ｙ）、マゼンタ（Ｍ）、シアン（Ｃ）、ブラック（Ｋ）、白色（Ｗ）、銀色（Ｖ）の順で、トナー画像が感光体ドラム６２１に形成され、当該トナー画像が、転写ベルト６３１に順次転写される。
【０１０２】
画像形成装置６００では、銀色トナー１００を用いる現像器６４Ｖが最後に現像処理を行う。このため、銀色画像の銀色トナー１００は、一次転写位置Ｔを１回のみ通過するので、銀色トナー１００が一次転写位置Ｔを複数回通過する場合（比較例）に比べ、銀色トナー１００へ正極性の電荷の注入が生じにくい。したがって、銀色トナー１００で形成された銀色画像が転写ベルト３１へ転写される際の転写率の低下が抑制される。
【０１０３】
また、白色トナー２００を用いる現像器６４Ｗは、現像器６４Ｙ、６４Ｍ、６４Ｃ、６４Ｋの後であって、現像器６４Ｖの前に現像処理を行う。これにより、白色画像の白色トナー２００は、一次転写位置Ｔを２回通過するので、白色トナー２００が一次転写位置Ｔを３回以上通過する場合（比較例）に比べ、白色トナー２００へ正極性の電荷の注入が生じにくい。したがって、白色トナー２００で形成された銀色画像が転写ベルト６３１へ転写される際の転写率の低下が抑制される。
【０１０４】
（第二変形例）
本実施形態に係る画像形成装置１０は、タンデム方式の画像形成装置とされていたが、これに限られず、例えば、図１７に示す直接転写型の画像形成装置７００を用いてもよい。
【０１０５】
画像形成装置７００は、図１７に示されるように、トナー画像を形成するトナー画像形成部７１２（形成部の一例）と、トナー画像形成部７１２で形成されたトナー画像を記録媒体Ｐ（媒体の一例）に転写する転写ロール７３３（転写部の一例）と、を備えている。
【０１０６】
このように、画像形成装置７００では、記録媒体Ｐが媒体の一例として機能する。なお、前述のように、画像形成装置１０、６００では、転写ベルト３１、６３１が媒体の一例として機能する。したがって、画像を保持する保持体（感光体ドラム２１、６２１）で潜像が現像されることで形成されたトナー画像が、当該保持体から最初に転写される対象が、本実施形態における媒体に該当する。
【０１０７】
画像形成装置７００では、環状の搬送ベルト７５０によって記録媒体Ｐが搬送される。転写ロール７３３は、搬送ベルト７５０の内周側に配置されている。
【０１０８】
トナー画像形成部７１２は、イエロー（Ｙ）、マゼンタ（Ｍ）、シアン（Ｃ）、ブラック（Ｋ）、白色（Ｗ）、銀色（Ｖ）の各色のトナー画像を形成する画像形成ユニット２０Ｙ、２０Ｍ、２０Ｃ、２０Ｋ、２０Ｗ、２０Ｖ（画像形成部）を有している。
【０１０９】
画像形成ユニット２０Ｙ、２０Ｍ、２０Ｃ、２０Ｋ、２０Ｗ、２０Ｖ（以下、２０Ｙ〜２０Ｖと称する）は、この順で、記録媒体Ｐの搬送方向の上流側から下流側に向けて配置されている。なお、画像形成ユニット２０Ｙ〜２０Ｖの各構成は、前述の通りである。
【０１１０】
画像形成装置７００では、銀色トナー１００、白色トナー２００及びカラー色トナー３００のうちで、最も正極性の電荷注入が生じやすい銀色トナー１００を用いる画像形成ユニット２０Ｖが、画像形成ユニット２０のうちで最下流側に配置されている。
【０１１１】
このため、銀色トナー１００は、画像形成ユニット２０Ｗ及び画像形成ユニット２０Ｙ〜２０Ｋの一次転写位置Ｔを通過しないので、図１０に示す比較例に比べ、銀色トナー１００へ正極性の電荷の注入が生じにくい。したがって、図１０に示す比較例に比べ、銀色トナー１００で形成された銀色画像が画像形成ユニット２０Ｖから記録媒体Ｐへ転写される際の転写率の低下が抑制される。
【０１１２】
また、画像形成装置７００では、銀色トナー１００、白色トナー２００及びカラー色トナー３００のうちで、２番目に正極性の電荷注入が生じやすい白色トナー２００を用いる画像形成ユニット２０Ｗは、画像形成ユニット２０Ｖの上流側ではあるが、画像形成ユニット２０Ｙ〜２０Ｋの下流側に配置されている。
【０１１３】
このため、白色トナー２００は、画像形成ユニット２０Ｖの一次転写位置Ｔを通過するものの、画像形成ユニット２０Ｙ〜２０Ｋの一次転写位置Ｔを通過しない。このため、図１０に示す比較例に比べ、白色トナー２００へ正極性の電荷の注入が生じにくい。したがって、図１０に示す比較例に比べ、白色トナー２００で形成された白色画像が画像形成ユニット２０Ｗから記録媒体Ｐへ転写される際の転写率の低下が抑制される。
【０１１４】
（他の変形例）
本実施形態では、第３トナーとして、イエロー（Ｙ）、マゼンタ（Ｍ）、シアン（Ｃ）、ブラック（Ｋ）のトナーを用いたが、これに限られない。第３トナーとしては、透明なトナーや、レッド、ブルー、グリーン、オレンジ、バイオレットなどの色のトナーを用いてもよい。なお、透明なトナーとしては、顔料を含まないトナーを用いてもよい。
【０１１５】
また、本実施形態では、画像形成ユニット２０Ｖは、銀色トナー１００を用いたが、これに限られず、例えば、金色等の他の金属色を用いてもよい。
【０１１６】
また、本実施形態では、第一トナーの一例としての銀色トナー１００は、アルミニウム（金属の一例）で構成された扁平顔料１１０を有していたが、これに限られない。第一トナーとしては、例えば、黄銅、青銅、ニッケル、ステンレス、亜鉛などの金属で構成された扁平顔料や、酸化チタン等の金属酸化物で形成された扁平顔料を有していてもよい。
【０１１７】
また、本実施形態では、第二トナーの一例としての白色トナー２００は、酸化チタン（金属酸化物の一例）で構成された球形顔料２１０を有していたが、これに限られない。第二トナーとしては、例えば、アルミニウム、黄銅、青銅、ニッケル、ステンレス、亜鉛などの金属で構成された球形顔料や、酸化チタン以外の金属酸化物で形成された球形顔料を有していてもよい。
【０１１８】
本発明は、上記の実施形態に限るものではなく、その主旨を逸脱しない範囲内において種々の変形、変更、改良が可能である。例えば、上記に示した変形例は、適宜、複数を組み合わせて構成してもよい。
【符号の説明】
【０１１９】
１０ 画像形成装置
１２ トナー画像形成部（形成部の一例）
３１ 転写ベルト（媒体の一例）
３３ 一次転写ロール（転写部の一例）
１００ 銀色トナー（第一トナーの一例）
１１０ 扁平顔料
２００ 白色トナー（第二トナーの一例）
２１０ 球形顔料（第一の顔料の一例）
３００ カラー色トナー（第三トナーの一例）
３１０ 顔料（第二の顔料の一例）
６００ 画像形成装置
６１２ トナー画像形成部（形成部の一例）
６３１ 転写ベルト（媒体の一例）
６３３ 一次転写ロール（転写部の一例）
７００ 画像形成装置
７１２ トナー画像形成部（形成部の一例）
７３３ 転写ロール（転写部の一例）
Ｐ 記録媒体（媒体の一例）
【図１】
2020073955.tif 000003
【図２】
2020073955.tif 000004
【図３】
2020073955.tif 000005
【図４】
2020073955.tif 000006
【図５】
2020073955.tif 000007
【図６】
2020073955.tif 000008
【図７】
2020073955.tif 000009
【図８】
2020073955.tif 000010
【図９】
2020073955.tif 000011
【図１０】
2020073955.tif 000012
【図１１】
2020073955.tif 000013
【図１２】
2020073955.tif 000014
【図１３】
2020073955.tif 000015
【図１４】
2020073955.tif 000016
【図１５】
2020073955.tif 000017
【図１６】
2020073955.tif 000018
【図１７】
2020073955.tif 000019